(57)【要約】【課題】  中央制御装置が無線信号の送信元の無線機を特定することができる無線中継装置を得ることを目的とする。【解決手段】  無線機１から送信元ＩＤを含む無線信号を受信する信号受信部１２と、その信号受信部１２により受信された無線信号に被中継情報を挿入する中継処理部１３とを設け、その中継処理部１３により被中継情報が挿入された無線信号を中央制御装置３に転送する。これにより、中央制御装置３が無線信号の送信元の無線機１を特定することができるとともに、無線中継装置２により無線信号が転送された事実を認識することができる。【選択図】        図１
2006303798.tif 000002
【特許請求の範囲】
【請求項１】
ある無線機から送信元ＩＤを含む無線信号を受信する信号受信手段と、上記信号受信手段により受信された無線信号に被中継情報を挿入する中継処理手段と、上記中継処理手段により被中継情報が挿入された無線信号を中央制御装置に転送する信号転送手段とを備えた無線中継装置。
【請求項２】
ある無線機から送信元ＩＤを含む無線信号を受信する信号受信手段と、上記信号受信手段により受信された無線信号に含まれている被中継情報を有意に設定する中継処理手段と、上記中継処理手段により有意に設定された被中継情報を含む無線信号を中央制御装置に転送する信号転送手段とを備えた無線中継装置。
【請求項３】
中継処理手段は、信号受信手段により受信された無線信号がＳＡＣＣＨの通信物理スロットにより送信された信号である場合、その無線信号に含まれている送信元ＩＤを自己のＩＤに変更することを特徴とする請求項１または請求項２記載の無線中継装置。
【請求項４】
中継処理手段は、信号受信手段により受信された無線信号がＦＡＣＣＨの通信物理スロットにより送信された信号である場合、その無線信号に含まれている送信元ＩＤを自己のＩＤに変更することを特徴とする請求項１または請求項２記載の無線中継装置。
【請求項５】
中継処理手段は、信号受信手段により受信された無線信号に自己のＩＤを挿入することを特徴とする請求項１または請求項２記載の無線中継装置。
【発明の詳細な説明】
【技術分野】
【０００１】
この発明は、ある無線機から送信された無線信号を受信して、その無線信号を中央制御装置に転送する無線中継装置に関するものである。
【背景技術】
【０００２】
例えば、無線機Ａが無線信号を中央制御装置に送信する際、例えば、不感地帯を補うために設置された無線中継装置が無線機Ａから無線信号を受信して、その無線信号を中央制御装置に転送することがある。
無線機Ａから送信される無線信号には、他の無線機Ｂから送信された無線信号との混信を避けるために、送信元（無線機Ａ）を特定する送信元ＩＤが含められている。
【０００３】
したがって、中央制御装置が無線機Ａから送信された無線信号を直接受信して、その無線信号に含まれている送信元ＩＤを確認すれば、その無線信号が無線機Ａから送信されたものであることを確認することができる。
しかし、従来の無線中継装置は、無線機Ａから送信された無線信号を受信すると、その無線信号を中央制御装置に転送する際、その無線信号に含まれている送信元ＩＤを自己のＩＤ（無線中継装置のＩＤ）に置き換えて、その無線信号を中央制御装置に転送するようにしている。
【０００４】
なお、上記の無線中継装置のほかに、無線機と幹線間の情報を中継する無線中継装置であって、中継対象の無線信号に自己のＩＤ（無線中継装置のＩＤ）を含めて転送する無線中継装置が以下の特許文献１に開示されている。
【０００５】
【特許文献１】特開２００２−２４６９８５号公報（段落番号［００２７］から［００３１］、図６）
【発明の開示】
【発明が解決しようとする課題】
【０００６】
従来の無線中継装置は以上のように構成されているので、無線機Ａから送信された無線信号に含まれている送信元ＩＤを自己のＩＤ（無線中継装置のＩＤ）に置き換えて、その無線信号を中央制御装置に転送する。そのため、中央制御装置が無線信号に含まれているＩＤを見ても、その無線信号の送信元の無線機Ａを特定することができないなどの課題があった。
【０００７】
この発明は上記のような課題を解決するためになされたもので、中央制御装置が無線信号の送信元の無線機を特定することができる無線中継装置を得ることを目的とする。
【課題を解決するための手段】
【０００８】
この発明に係る無線中継装置は、ある無線機から送信元ＩＤを含む無線信号を受信する信号受信手段と、その信号受信手段により受信された無線信号に被中継情報を挿入する中継処理手段とを設け、その中継処理手段により被中継情報が挿入された無線信号を中央制御装置に転送するようにしたものである。
【発明の効果】
【０００９】
この発明によれば、ある無線機から送信元ＩＤを含む無線信号を受信する信号受信手段と、その信号受信手段により受信された無線信号に被中継情報を挿入する中継処理手段とを設け、その中継処理手段により被中継情報が挿入された無線信号を中央制御装置に転送するように構成したので、中央制御装置が無線信号の送信元の無線機を特定することができるとともに、無線中継装置により無線信号が転送された事実を認識することができる効果がある。
【発明を実施するための最良の形態】
【００１０】
実施の形態１．
図１はこの発明の実施の形態１による無線中継装置を適用する無線通信システムを示す構成図であり、図において、無線機１はＦＡＣＣＨ（Ｆａｓｔ  Ａｓｓｏｃｉａｔｅｄ  Ｃｏｎｔｒｏｌ  Ｃｈａｎｎｅｌ）やＳＡＣＣＨ（Ｓｌｏｗ  Ａｓｓｏｃｉａｔｅｄ  Ｃｏｎｔｒｏｌ  Ｃｈａｎｎｅｌ）の通信物理スロットを利用して、送信元ＩＤを含む無線信号を送信する機能を備えている。
無線中継装置２は無線機１から送信された無線信号を受信して、その無線信号を中央制御装置３に転送する処理を実施する。
【００１１】
中央制御装置３は複数の無線機１から送信された無線信号を集約し、各種の制御や監視等を実施する装置であり、中央制御装置３は無線中継装置２から転送された無線信号を受信すると、その無線信号に含まれている送信元ＩＤ（無線機１のＩＤ）と被中継情報を取り出し、その送信元ＩＤ（無線機１のＩＤ）と被中継情報を局名表示装置４に出力する。
局名表示装置４は中央制御装置３から出力された送信元ＩＤ（無線機１のＩＤ）と被中継情報にしたがって、無線機１に関する情報（例えば、名称、設置場所など）と無線中継装置２により無線信号が転送された旨を示すメッセージを表示する処理を実施する。
【００１２】
図２はこの発明の実施の形態１による無線中継装置を示す構成図であり、図において、信号受信部１２は受信アンテナ１１を用いて、無線機１から送信された無線信号を受信する処理を実施する。なお、受信アンテナ１１及び信号受信部１２から信号受信手段が構成されている。
中継処理部１３は信号受信部１２により受信された無線信号に被中継情報を挿入する処理を実施する。なお、中継処理部１３は中継処理手段を構成している。
信号転送部１４は送信アンテナ１５を用いて、中継処理部１３により被中継情報が挿入された無線信号を中央制御装置３に転送する処理を実施する。なお、信号転送部１４及び送信アンテナ１５から信号転送手段が構成されている。
図３はこの発明の実施の形態１による無線中継装置を適用する無線通信システムの信号シーケンスを示す説明図である。
【００１３】
次に動作について説明する。
まず、無線機１は、図３に示すように、ＦＡＣＣＨの通信物理スロットを利用して、送信元ＩＤを含む無線信号を送信する。
無線機１が送信する無線信号は、図４に示すように、送信元ＩＤ（無線機１のＩＤ）、送信先ＩＤ、ヘッダ、トレイラ、その他情報が含まれている。
【００１４】
無線中継装置２は、無線機１から送信された無線信号を受信すると、その無線信号に被中継情報を挿入し、被中継情報挿入後の無線信号を中央制御装置３に転送する。
即ち、無線中継装置２の信号受信部１２は、受信アンテナ１１を用いて、無線機１から送信された無線信号を受信する。
無線中継装置２の中継処理部１３は、信号受信部１２が無線信号を受信すると、図５に示すように、その無線信号に被中継情報を挿入する処理を実施する。
ここで、「被中継情報」は、後段の中央処理装置３に対して、無線中継装置２が無線機１から送信された無線信号を中継している事実を知らせるための情報である。
ここで「被中継情報」を送信元ＩＤ（無線機１）の後に挿入しているが、ヘッダの後或いはトレイラの前など挿入する位置に関わらず効果は同じである。
【００１５】
無線中継装置２の信号転送部１４は、中継処理部１３が無線信号に被中継情報を挿入すると、送信アンテナ１５を用いて、被中継情報挿入後の無線信号を中央制御装置３に転送する。
なお、無線中継装置２が転送する無線信号は、被中継情報が挿入されている点以外は無線機１から送信された無線信号と同じである。
【００１６】
中央制御装置３は、無線中継装置２から転送された無線信号を受信し、その無線信号に含まれている送信元ＩＤ（無線機１のＩＤ）と被中継情報を取り出し、その送信元ＩＤ（無線機１のＩＤ）と被中継情報を局名表示装置４に出力する。
局名表示装置４は、中央制御装置３から送信元ＩＤ（無線機１のＩＤ）を受けると、その送信元ＩＤ（無線機１のＩＤ）に対応する無線機１に関する情報（例えば、名称、設置場所など）をディスプレイに表示する。
なお、局名表示装置４は、送信元ＩＤ（無線機１のＩＤ）と無線機１に関する情報との対応関係を予めメモリに格納している。
また、局名表示装置４は、中央制御装置３から被中継情報を受けると、無線中継装置２により無線信号が転送された旨を示すメッセージ等を表示する。
【００１７】
次に、無線機１は、他の無線機から送信される無線信号との混信を避けるため、図３に示すように、一定の周期で、ＳＡＣＣＨの通信物理スロットを利用して、送信元ＩＤを含む無線信号を送信する。
無線機１が送信する無線信号は、図６に示すように、送信元ＩＤ（無線機１のＩＤ）、送信先ＩＤ、ヘッダ、トレイラ、通信データ（例えば、音声信号、データ信号など）が含まれている。
【００１８】
無線中継装置２は、無線機１から送信された無線信号を受信すると、その無線信号に被中継情報を挿入し、被中継情報挿入後の無線信号を中央制御装置３に転送する。
即ち、無線中継装置２の信号受信部１２は、受信アンテナ１１を用いて、無線機１から送信された無線信号を受信する。
無線中継装置２の中継処理部１３は、信号受信部１２が無線信号を受信すると、図７に示すように、その無線信号に被中継情報を挿入する処理を実施する。
【００１９】
無線中継装置２の信号転送部１４は、中継処理部１３が無線信号に被中継情報を挿入すると、送信アンテナ１５を用いて、被中継情報挿入後の無線信号を中央制御装置３に転送する。
なお、無線中継装置２が転送する無線信号は、被中継情報が挿入されている点以外は無線機１から送信された無線信号と同じである。
【００２０】
中央制御装置３は、無線中継装置２から転送された無線信号を受信し、その無線信号に含まれている送信元ＩＤ（無線機１のＩＤ）と被中継情報を取り出し、その送信元ＩＤ（無線機１のＩＤ）と被中継情報を局名表示装置４に出力する。
局名表示装置４は、中央制御装置３から送信元ＩＤ（無線機１のＩＤ）を受けると、その送信元ＩＤ（無線機１のＩＤ）に対応する無線機１に関する情報（例えば、名称、設置場所など）をディスプレイに表示する。
また、局名表示装置４は、中央制御装置３から被中継情報を受けると、無線中継装置２により無線信号が転送された旨を示すメッセージ等を表示する。
【００２１】
以上で明らかなように、この実施の形態１によれば、無線機１から送信元ＩＤを含む無線信号を受信する信号受信部１２と、その信号受信部１２により受信された無線信号に被中継情報を挿入する中継処理部１３とを設け、その中継処理部１３により被中継情報が挿入された無線信号を中央制御装置３に転送するように構成したので、中央制御装置３が無線信号の送信元の無線機１を特定することができるとともに、無線中継装置２により無線信号が転送された事実を認識することができる効果を奏する。
【００２２】
実施の形態２．
上記実施の形態１では、無線中継装置２の中継処理部１３が無線機１から送信された無線信号に被中継情報を挿入し、信号転送部１４が被中継情報挿入後の無線信号を中央制御装置３に転送するものについて示したが、無線中継装置２の信号受信部１２が無線機１から無意の被中継情報（例えば、無線信号が中継されていないことを示す“０”のフラグ）を含む無線信号を受信すると、中継処理部１３が無線信号に含まれている被中継情報を有意に設定して（例えば、無線信号が中継されていることを示す“１”のフラグ）、信号転送部１４が有意の被中継情報を含む無線信号を中央制御装置３に転送するようにしてもよい。
【００２３】
具体的には下記の通りである。
図８はこの発明の実施の形態２による無線中継装置を適用する無線通信システムの信号シーケンスを示す説明図である。
まず、無線機１は、図９に示すように、ＦＡＣＣＨの通信物理スロットを利用して、送信元ＩＤを含む無線信号を送信する。
無線機１が送信する無線信号は、図９に示すように、送信元ＩＤ（無線機１のＩＤ）、送信先ＩＤ、無意の被中継情報（“０”のフラグ）、ヘッダ、トレイラ、その他情報が含まれている。
【００２４】
無線中継装置２は、無線機１から送信された無線信号を受信すると、その無線信号に含まれている被中継情報を有意に設定して、有意の被中継情報を含む無線信号を中央制御装置３に転送する。
即ち、無線中継装置２の信号受信部１２は、受信アンテナ１１を用いて、無線機１から送信された無線信号を受信する。
無線中継装置２の中継処理部１３は、信号受信部１２が無線信号を受信すると、図１０に示すように、その無線信号に含まれている被中継情報を有意に設定する。つまり、無意の被中継情報（“０”のフラグ）を有意の被中継情報（“１”のフラグ）に変更する。
【００２５】
無線中継装置２の信号転送部１４は、中継処理部１３が無線信号に含まれている被中継情報を有意に設定すると、送信アンテナ１５を用いて、有意の被中継情報（“１”のフラグ）を含む無線信号を中央制御装置３に転送する。
なお、無線中継装置２が転送する無線信号は、被中継情報が有意に設定されている点以外は無線機１から送信された無線信号と同じである。
【００２６】
中央制御装置３は、無線中継装置２から転送された無線信号を受信し、その無線信号に含まれている送信元ＩＤ（無線機１のＩＤ）と有意の被中継情報（“１”のフラグ）を取り出し、その送信元ＩＤ（無線機１のＩＤ）と有意の被中継情報（“１”のフラグ）を局名表示装置４に出力する。
局名表示装置４は、中央制御装置３から送信元ＩＤ（無線機１のＩＤ）を受けると、その送信元ＩＤ（無線機１のＩＤ）に対応する無線機１に関する情報（例えば、名称、設置場所など）をディスプレイに表示する。
また、局名表示装置４は、中央制御装置３から有意の被中継情報（“１”のフラグ）を受けると、無線中継装置２により無線信号が転送された旨を示すメッセージ等を表示する。
【００２７】
次に、無線機１は、他の無線機から送信される無線信号との混信を避けるため、図８に示すように、一定の周期で、ＳＡＣＣＨの通信物理スロットを利用して、送信元ＩＤを含む無線信号を送信する。
無線機１が送信する無線信号は、図１１に示すように、送信元ＩＤ（無線機１のＩＤ）、送信先ＩＤ、無意の被中継情報（“０”のフラグ）、ヘッダ、トレイラ、通信データ（例えば、音声信号、データ信号など）が含まれている。
【００２８】
無線中継装置２は、無線機１から送信された無線信号を受信すると、その無線信号に含まれている被中継情報を有意に設定して、有意の被中継情報を含む無線信号を中央制御装置３に転送する。
即ち、無線中継装置２の信号受信部１２は、受信アンテナ１１を用いて、無線機１から送信された無線信号を受信する。
無線中継装置２の中継処理部１３は、信号受信部１２が無線信号を受信すると、図１２に示すように、その無線信号に含まれている被中継情報を有意に設定する。つまり、無意の被中継情報（“０”のフラグ）を有意の被中継情報（“１”のフラグ）に変更する。
【００２９】
無線中継装置２の信号転送部１４は、中継処理部１３が無線信号に含まれている被中継情報を有意に設定すると、送信アンテナ１５を用いて、有意の被中継情報（“１”のフラグ）を含む無線信号を中央制御装置３に転送する。
なお、無線中継装置２が転送する無線信号は、被中継情報が有意に設定されている点以外は無線機１から送信された無線信号と同じである。
【００３０】
中央制御装置３は、無線中継装置２から転送された無線信号を受信し、その無線信号に含まれている送信元ＩＤ（無線機１のＩＤ）と有意の被中継情報（“１”のフラグ）を取り出し、その送信元ＩＤ（無線機１のＩＤ）と有意の被中継情報（“１”のフラグ）を局名表示装置４に出力する。
局名表示装置４は、中央制御装置３から送信元ＩＤ（無線機１のＩＤ）を受けると、その送信元ＩＤ（無線機１のＩＤ）に対応する無線機１に関する情報（例えば、名称、設置場所など）をディスプレイに表示する。
また、局名表示装置４は、中央制御装置３から有意の被中継情報（“１”のフラグ）を受けると、無線中継装置２により無線信号が転送された旨を示すメッセージ等を表示する。
【００３１】
以上で明らかなように、この実施の形態２によれば、無線機１から送信元ＩＤ及び無意の被中継情報を含む無線信号を受信する信号受信部１２と、その信号受信部１２により受信された無線信号に含まれている被中継情報を有意に設定する中継処理部１３とを設け、その中継処理部１３により有意に設定された無線信号を中央制御装置３に転送するように構成したので、中央制御装置３が無線信号の送信元の無線機１を特定することができるとともに、無線中継装置２により無線信号が転送された事実を認識することができる効果を奏する。
【００３２】
実施の形態３．
上記実施の形態１，２では、無線機１から送信された無線信号に含まれている送信元ＩＤ（無線機１のＩＤ）については変更せずに、その無線信号を中央制御装置３に転送するものについて示したが、無線機１からＳＡＣＣＨの通信物理スロットを利用して無線信号が送信された場合、無線中継装置２の中継処理部１３が、無線信号に含まれている送信元ＩＤ（無線機１のＩＤ）を自己のＩＤ（無線中継装置２のＩＤ）に変更するようにしてもよい。
【００３３】
具体的には下記の通りである。
図１３はこの発明の実施の形態３による無線中継装置を適用する無線通信システムの信号シーケンスを示す説明図である。
無線機１からＦＡＣＣＨの通信物理スロットを利用して無線信号が送信された場合、無線中継装置２の処理内容は、上記実施の形態１，２と同様である。
そのため、詳細な説明は省略するが、図１４は無線機１からＦＡＣＣＨの通信物理スロットを利用して送信される無線信号を示しており、図１５は無線中継装置２からＦＡＣＣＨの通信物理スロットを利用して転送される無線信号を示している。
【００３４】
なお、図１４の例では、無線機１が無意の被中継情報（“０”のフラグ）を無線信号に含めて送信しているので、無線中継装置２の中継処理部１３が無線信号に含まれている無意の被中継情報（“０”のフラグ）を有意の被中継情報（“１”のフラグ）に変更しているが、上記実施の形態１のように、無線機１が被中継情報を含まない無線信号を送信する場合、無線中継装置２の中継処理部１３が無線信号に被中継情報を挿入するようにする。
無線機１からＦＡＣＣＨの通信物理スロットを利用して無線信号が送信された場合、局名表示装置４のディスプレイには、無線機１に関する情報（例えば、名称、設置場所など）と、無線中継装置２により無線信号が転送された旨を示すメッセージ等が表示される。
【００３５】
次に、無線機１からＳＡＣＣＨの通信物理スロットを利用して無線信号が送信された場合の動作を説明する。
無線機１は、他の無線機から送信される無線信号との混信を避けるため、図１３に示すように、一定の周期で、ＳＡＣＣＨの通信物理スロットを利用して、送信元ＩＤを含む無線信号を送信する。
無線機１が送信する無線信号は、図１６に示すように、送信元ＩＤ（無線機１のＩＤ）、送信先ＩＤ、ヘッダ、トレイラ、通信データ（例えば、音声信号、データ信号など）が含まれている。なお、この例では、被中継情報は含まれていない。
【００３６】
無線中継装置２は、無線機１から送信された無線信号を受信すると、その無線信号に含まれている送信元ＩＤ（無線機１のＩＤ）を自己のＩＤ（無線中継装置２のＩＤ）に変更し、変更後の無線信号を中央制御装置３に転送する。
即ち、無線中継装置２の信号受信部１２は、受信アンテナ１１を用いて、無線機１から送信された無線信号を受信する。
無線中継装置２の中継処理部１３は、信号受信部１２が無線信号を受信すると、図１７に示すように、その無線信号に含まれている送信元ＩＤ（無線機１のＩＤ）を自己のＩＤ（無線中継装置２のＩＤ）に変更する。
【００３７】
無線中継装置２の信号転送部１４は、中継処理部１３が送信元ＩＤ（無線機１のＩＤ）を自己のＩＤ（無線中継装置２のＩＤ）に変更すると、送信アンテナ１５を用いて、自己のＩＤ（無線中継装置２のＩＤ）を含む無線信号を中央制御装置３に転送する。
なお、無線中継装置２が転送する無線信号は、ＩＤが変更されている点以外は無線機１から送信された無線信号と同じである。
【００３８】
中央制御装置３は、無線中継装置２から転送された無線信号を受信し、その無線信号に含まれている無線中継装置２のＩＤを取り出し、その無線中継装置２のＩＤを局名表示装置４に出力する。
局名表示装置４は、中央制御装置３から無線中継装置２のＩＤを受けると、その無線中継装置２に関する情報（例えば、名称、設置場所など）をディスプレイに表示する。
【００３９】
以上で明らかなように、この実施の形態３によれば、無線機１からＳＡＣＣＨの通信物理スロットを利用して無線信号が送信された場合、無線中継装置２の中継処理部１３が、無線信号に含まれている送信元ＩＤ（無線機１のＩＤ）を自己のＩＤ（無線中継装置２のＩＤ）に変更するように構成したので、中央制御装置３が無線信号の送信元の無線機１を特定することができるとともに、その無線信号を中継している無線中継装置２を特定することができる効果を奏する。
【００４０】
実施の形態４．
上記実施の形態１，２では、無線機１から送信された無線信号に含まれている送信元ＩＤ（無線機１のＩＤ）については変更せずに、その無線信号を中央制御装置３に転送するものについて示したが、無線機１からＦＡＣＣＨの通信物理スロットを利用して無線信号が送信された場合、無線中継装置２の中継処理部１３が、無線信号に含まれている送信元ＩＤ（無線機１のＩＤ）を自己のＩＤ（無線中継装置２のＩＤ）に変更するようにしてもよい。
【００４１】
具体的には下記の通りである。
図１８はこの発明の実施の形態４による無線中継装置を適用する無線通信システムの信号シーケンスを示す説明図である。
無線機１からＳＡＣＣＨの通信物理スロットを利用して無線信号が送信された場合、無線中継装置２の処理内容は、上記実施の形態１，２と同様である。
そのため、詳細な説明は省略するが、図２１は無線機１からＳＡＣＣＨの通信物理スロットを利用して送信される無線信号を示しており、図２２は無線中継装置２からＳＡＣＣＨの通信物理スロットを利用して転送される無線信号を示している。
【００４２】
なお、図２１の例では、無線機１が無意の被中継情報（“０”のフラグ）を無線信号に含めて送信しているので、無線中継装置２の中継処理部１３が無線信号に含まれている無意の被中継情報（“０”のフラグ）を有意の被中継情報（“１”のフラグ）に変更しているが、上記実施の形態１のように、無線機１が被中継情報を含まない無線信号を送信する場合、無線中継装置２の中継処理部１３が無線信号に被中継情報を挿入するようにする。
無線機１からＳＡＣＣＨの通信物理スロットを利用して無線信号が送信された場合、局名表示装置４のディスプレイには、無線機１に関する情報（例えば、名称、設置場所など）と、無線中継装置２により無線信号が転送された旨を示すメッセージ等が表示される。
【００４３】
次に、無線機１からＦＡＣＣＨの通信物理スロットを利用して無線信号が送信された場合の動作を説明する。
無線機１は、ＦＡＣＣＨの通信物理スロットを利用して、送信元ＩＤを含む無線信号を送信する。
無線機１が送信する無線信号は、図１９に示すように、送信元ＩＤ（無線機１のＩＤ）、送信先ＩＤ、ヘッダ、トレイラ、その他情報が含まれている。なお、この例では、被中継情報は含まれていない。
【００４４】
無線中継装置２は、無線機１から送信された無線信号を受信すると、その無線信号に含まれている送信元ＩＤ（無線機１のＩＤ）を自己のＩＤ（無線中継装置２のＩＤ）に変更し、変更後の無線信号を中央制御装置３に転送する。
即ち、無線中継装置２の信号受信部１２は、受信アンテナ１１を用いて、無線機１から送信された無線信号を受信する。
無線中継装置２の中継処理部１３は、信号受信部１２が無線信号を受信すると、図２０に示すように、その無線信号に含まれている送信元ＩＤ（無線機１のＩＤ）を自己のＩＤ（無線中継装置２のＩＤ）に変更する。
【００４５】
無線中継装置２の信号転送部１４は、中継処理部１３が送信元ＩＤ（無線機１のＩＤ）を自己のＩＤ（無線中継装置２のＩＤ）に変更すると、送信アンテナ１５を用いて、自己のＩＤ（無線中継装置２のＩＤ）を含む無線信号を中央制御装置３に転送する。
なお、無線中継装置２が転送する無線信号は、ＩＤが変更されている点以外は無線機１から送信された無線信号と同じである。
【００４６】
中央制御装置３は、無線中継装置２から転送された無線信号を受信し、その無線信号に含まれている無線中継装置２のＩＤを取り出し、その無線中継装置２のＩＤを局名表示装置４に出力する。
局名表示装置４は、中央制御装置３から無線中継装置２のＩＤを受けると、その無線中継装置２に関する情報（例えば、名称、設置場所など）をディスプレイに表示する。
【００４７】
以上で明らかなように、この実施の形態４によれば、無線機１からＦＡＣＣＨの通信物理スロットを利用して無線信号が送信された場合、無線中継装置２の中継処理部１３が、無線信号に含まれている送信元ＩＤ（無線機１のＩＤ）を自己のＩＤ（無線中継装置２のＩＤ）に変更するように構成したので、中央制御装置３が無線信号の送信元の無線機１を特定することができるとともに、その無線信号を中継している無線中継装置２を特定することができる効果を奏する。
【００４８】
実施の形態５．
上記実施の形態３，４では、無線機１からＳＡＣＣＨの通信物理スロットを利用して無線信号、または、ＦＡＣＣＨの通信物理スロットを利用して無線信号に含まれている送信元ＩＤ（無線機１のＩＤ）を自己のＩＤ（無線中継装置２のＩＤ）に変更するものについて示したが、無線中継装置２の設置条件が悪く、かつ、極端に無線信号の信号長が短い場合、ＳＡＣＣＨ及びＦＡＣＣＨの両方の無線信号に含まれているＩＤを受信することができない場合がある。
そこで、この実施の形態５では、ＳＡＣＣＨ又はＦＡＣＣＨの無線信号に含まれている送信元ＩＤ（無線機１のＩＤ）を自己のＩＤ（無線中継装置２のＩＤ）に変更するのではなく、ＳＡＣＣＨ及びＦＡＣＣＨの無線信号に自己のＩＤ（無線中継装置２のＩＤ）を挿入するようにしている。
【００４９】
具体的には下記の通りである。
図２３はこの発明の実施の形態５による無線中継装置を適用する無線通信システムの信号シーケンスを示す説明図である。
まず、無線機１は、図２３に示すように、ＦＡＣＣＨの通信物理スロットを利用して、送信元ＩＤを含む無線信号を送信する。
無線機１が送信する無線信号は、図２４に示すように、送信元ＩＤ（無線機１のＩＤ）、送信先ＩＤ、無意の被中継情報（“０”のフラグ）、ヘッダ、トレイラ、その他情報が含まれている。この例では、無意の被中継情報（“０”のフラグ）が含まれているが、上記実施の形態１と同様に、被中継情報を含まないようにしてもよい。
【００５０】
無線中継装置２は、無線機１から送信された無線信号を受信すると、その無線信号に含まれている被中継情報を有意に設定するとともに、その無線信号に自己のＩＤ（無線中継装置２のＩＤ）を挿入する処理を実施し、その処理後の無線信号を中央制御装置３に転送する。なお、被中継情報が含まれていない場合、上記実施の形態１と同様に、その無線信号に被中継情報を挿入する。
【００５１】
即ち、無線中継装置２の信号受信部１２は、受信アンテナ１１を用いて、無線機１から送信された無線信号を受信する。
無線中継装置２の中継処理部１３は、信号受信部１２が無線信号を受信すると、図２５に示すように、その無線信号に含まれている被中継情報を有意に設定する。つまり、無意の被中継情報（“０”のフラグ）を有意の被中継情報（“１”のフラグ）に変更する。
また、中継処理部１３は、その無線信号に自己のＩＤ（無線中継装置２のＩＤ）を挿入する。
無線中継装置２の信号転送部１４は、中継処理部１３から処理後の無線信号を受けると、送信アンテナ１５を用いて、その無線信号を中央制御装置３に転送する。
【００５２】
中央制御装置３は、無線中継装置２から転送された無線信号を受信し、その無線信号に含まれている送信元ＩＤ（無線機１のＩＤ）及び無線中継装置２のＩＤと有意の被中継情報（“１”のフラグ）を取り出し、その送信元ＩＤ（無線機１のＩＤ）及び無線中継装置２のＩＤと有意の被中継情報（“１”のフラグ）を局名表示装置４に出力する。
局名表示装置４は、中央制御装置３から送信元ＩＤ（無線機１のＩＤ）及び無線中継装置２のＩＤを受けると、その送信元ＩＤ（無線機１のＩＤ）に対応する無線機１に関する情報（例えば、名称、設置場所など）と無線中継装置２に関する情報（例えば、名称、設置場所など）をディスプレイに表示する。
また、局名表示装置４は、中央制御装置３から有意の被中継情報（“１”のフラグ）を受けると、無線中継装置２により無線信号が転送された旨を示すメッセージ等を表示する。
【００５３】
次に、無線機１は、他の無線機から送信される無線信号との混信を避けるため、図２３に示すように、一定の周期で、ＳＡＣＣＨの通信物理スロットを利用して、送信元ＩＤを含む無線信号を送信する。
無線機１が送信する無線信号は、図２６に示すように、送信元ＩＤ（無線機１のＩＤ）、送信先ＩＤ、無意の被中継情報（“０”のフラグ）、ヘッダ、トレイラ、通信データ（例えば、音声信号、データ信号など）が含まれている。この例では、無意の被中継情報（“０”のフラグ）が含まれているが、上記実施の形態１と同様に、被中継情報を含まないようにしてもよい。
【００５４】
無線中継装置２は、無線機１から送信された無線信号を受信すると、その無線信号に含まれている被中継情報を有意に設定するとともに、その無線信号に自己のＩＤ（無線中継装置２のＩＤ）を挿入する処理を実施し、その処理後の無線信号を中央制御装置３に転送する。なお、被中継情報が含まれていない場合、上記実施の形態１と同様に、その無線信号に被中継情報を挿入する。
【００５５】
即ち、無線中継装置２の信号受信部１２は、受信アンテナ１１を用いて、無線機１から送信された無線信号を受信する。
無線中継装置２の中継処理部１３は、信号受信部１２が無線信号を受信すると、図２７に示すように、その無線信号に含まれている被中継情報を有意に設定する。つまり、無意の被中継情報（“０”のフラグ）を有意の被中継情報（“１”のフラグ）に変更する。
また、中継処理部１３は、その無線信号に自己のＩＤ（無線中継装置２のＩＤ）を挿入する。
無線中継装置２の信号転送部１４は、中継処理部１３から処理後の無線信号を受けると、送信アンテナ１５を用いて、その無線信号を中央制御装置３に転送する。
【００５６】
中央制御装置３は、無線中継装置２から転送された無線信号を受信し、その無線信号に含まれている送信元ＩＤ（無線機１のＩＤ）及び無線中継装置２のＩＤと有意の被中継情報（“１”のフラグ）を取り出し、その送信元ＩＤ（無線機１のＩＤ）及び無線中継装置２のＩＤと有意の被中継情報（“１”のフラグ）を局名表示装置４に出力する。
局名表示装置４は、中央制御装置３から送信元ＩＤ（無線機１のＩＤ）及び無線中継装置２のＩＤを受けると、その送信元ＩＤ（無線機１のＩＤ）に対応する無線機１に関する情報（例えば、名称、設置場所など）と無線中継装置２に関する情報（例えば、名称、設置場所など）をディスプレイに表示する。
また、局名表示装置４は、中央制御装置３から有意の被中継情報（“１”のフラグ）を受けると、無線中継装置２により無線信号が転送された旨を示すメッセージ等を表示する。
【００５７】
以上で明らかなように、この実施の形態５によれば、無線機１から送信された無線信号に自己のＩＤ（無線中継装置２のＩＤ）を挿入するように構成したので、無線中継装置２の設置条件が悪く、かつ、極端に無線信号の信号長が短い場合でも、無線信号の送信元の無線機１と、無線信号を中継している無線中継装置２とを確実に特定することができる効果を奏する。
【図面の簡単な説明】
【００５８】
【図１】この発明の実施の形態１による無線中継装置を適用する無線通信システムを示す構成図である。
【図２】この発明の実施の形態１による無線中継装置を示す構成図である。
【図３】この発明の実施の形態１による無線中継装置を適用する無線通信システムの信号シーケンスを示す説明図である。
【図４】無線機からＦＡＣＣＨの通信物理スロットを利用して送信される無線信号を示す説明図である。
【図５】無線中継装置からＦＡＣＣＨの通信物理スロットを利用して転送される無線信号を示す説明図である。
【図６】無線機からＳＡＣＣＨの通信物理スロットを利用して送信される無線信号を示す説明図である。
【図７】無線中継装置からＳＡＣＣＨの通信物理スロットを利用して転送される無線信号を示す説明図である。
【図８】この発明の実施の形態２による無線中継装置を適用する無線通信システムの信号シーケンスを示す説明図である。
【図９】無線機からＦＡＣＣＨの通信物理スロットを利用して送信される無線信号を示す説明図である。
【図１０】無線中継装置からＦＡＣＣＨの通信物理スロットを利用して転送される無線信号を示す説明図である。
【図１１】無線機からＳＡＣＣＨの通信物理スロットを利用して送信される無線信号を示す説明図である。
【図１２】無線中継装置からＳＡＣＣＨの通信物理スロットを利用して転送される無線信号を示す説明図である。
【図１３】この発明の実施の形態３による無線中継装置を適用する無線通信システムの信号シーケンスを示す説明図である。
【図１４】無線機からＦＡＣＣＨの通信物理スロットを利用して送信される無線信号を示す説明図である。
【図１５】無線中継装置からＦＡＣＣＨの通信物理スロットを利用して転送される無線信号を示す説明図である。
【図１６】無線機からＳＡＣＣＨの通信物理スロットを利用して送信される無線信号を示す説明図である。
【図１７】無線中継装置からＳＡＣＣＨの通信物理スロットを利用して転送される無線信号を示す説明図である。
【図１８】この発明の実施の形態４による無線中継装置を適用する無線通信システムの信号シーケンスを示す説明図である。
【図１９】無線機からＦＡＣＣＨの通信物理スロットを利用して送信される無線信号を示す説明図である。
【図２０】無線中継装置からＦＡＣＣＨの通信物理スロットを利用して転送される無線信号を示す説明図である。
【図２１】無線機からＳＡＣＣＨの通信物理スロットを利用して送信される無線信号を示す説明図である。
【図２２】無線中継装置からＳＡＣＣＨの通信物理スロットを利用して転送される無線信号を示す説明図である。
【図２３】この発明の実施の形態５による無線中継装置を適用する無線通信システムの信号シーケンスを示す説明図である。
【図２４】無線機からＦＡＣＣＨの通信物理スロットを利用して送信される無線信号を示す説明図である。
【図２５】無線中継装置からＦＡＣＣＨの通信物理スロットを利用して転送される無線信号を示す説明図である。
【図２６】無線機からＳＡＣＣＨの通信物理スロットを利用して送信される無線信号を示す説明図である。
【図２７】無線中継装置からＳＡＣＣＨの通信物理スロットを利用して転送される無線信号を示す説明図である。
【符号の説明】
【００５９】
１  無線機、２  無線中継装置、３  中央制御装置、４  局名表示装置、１１  受信アンテナ（信号受信手段）、１２  信号受信部（信号受信手段）、１３  中継処理部（中継処理手段）、１４  信号転送部（信号転送手段）、１５  送信アンテナ（信号転送手段）。
【図１】
2006303798.tif 000003
【図２】
2006303798.tif 000004
【図３】
2006303798.tif 000005
【図４】
2006303798.tif 000006
【図５】
2006303798.tif 000007
【図６】
2006303798.tif 000008
【図７】
2006303798.tif 000009
【図８】
2006303798.tif 000010
【図９】
2006303798.tif 000011
【図１０】
2006303798.tif 000012
【図１１】
2006303798.tif 000013
【図１２】
2006303798.tif 000014
【図１３】
2006303798.tif 000015
【図１４】
2006303798.tif 000016
【図１５】
2006303798.tif 000017
【図１６】
2006303798.tif 000018
【図１７】
2006303798.tif 000019
【図１８】
2006303798.tif 000020
【図１９】
2006303798.tif 000021
【図２０】
2006303798.tif 000022
【図２１】
2006303798.tif 000023
【図２２】
2006303798.tif 000024
【図２３】
2006303798.tif 000025
【図２４】
2006303798.tif 000026
【図２５】
2006303798.tif 000027
【図２６】
2006303798.tif 000028
【図２７】
2006303798.tif 000029